(57)【要約】      （修正有）【課題】片手でワンタッチ作動により角度の可変がスムーズにできる釣竿支えホルダー角度可変装置を提供する。【解決手段】回転フランジ４に取り付けた釣竿角度固定の為の、位置決めピン３を固定フランジ２に取り付けた位置決めピン挿入穴２１１に嵌合する事によって、回転フランジに付属する竿ホルダー１に収納した釣竿１２の角度を可変とした。船の側面やクーラーボックス９の側面等に容易に取付出来、左右複数取付可能で、長時間の立釣りの様な疲れがなく、クーラーボックスに座って片手で作業が出来、ホルダーが円筒である為置き竿等に適し、竿の手返しも早く、糸が絡んでも竿をホルダーに入れた状態でハンドルをワンタッチに断続的に角度可変の作業が楽に出来る。【選択図】図１
0003157968.tif 000002
【実用新案登録請求の範囲】
【請求項１】
回転フランジ（４）と固定フランジ（２）とから成る。竿ホルダー（１）であって、前記回転フランジ（４）においては、その後面には１本或いは複数本の位置決めピンと、その前面にはこの部材を回転させるためのハンドル（４１２）と、その側面には釣竿（１２）を収納保持するための竿ホルダー（１）と、その後面から前面を通過して前記ハンドル（４１２）を貫通する貫通する中心軸穴（４１１）を有し、
前記固定フランジ（２）においては、その前面には中央部に前記回転フランジ（４）がその外周を回転するため雌ネジ（４１３）が切られた中心軸（１１）と、その前面周辺部には複数の位置決めピン挿入穴（２１１）を有すると共に、前記位置決め挿入穴（２１１）は前記中心軸（１１）中心から等距離に配置され、
前記回転フランジ（４）後面の位置決めピン（３）と前記固定フランジ（２）前面周辺部の位置決めおピン（３）は嵌合する位置とサイズを有し、
前記回転フランジ（４）と固定フランジ（２）は前記ハンドル（４１２）の上端部よりスプリング（６）を挟んだ締付ボルト（７）を前記固定フランジ（２）中心軸（１１）にネジ穴（２１３）部にねじ込み取り付け構造とする事により、
前記スプリング（６）力に抗して手で前記ハンドル（４１２）を若干持ち上げて回転フランジ（４）を希望する釣角度の位置に合せてハンドル（４１２）を戻すと位置決めピン（３）が位置決め挿入穴に嵌合して釣竿角度を容易に調整することが出来る事を特徴とする釣竿角度可変装置。
【請求項２】
竿ホルダー（１）に、ハンドルレバー（８）を設置する事を特徴とする請求項１記載の釣竿支えホルダー角度可変装置。
【考案の詳細な説明】
【技術分野】
【０００１】本考案は、釣り竿入れホルダー角度可変装置に関するもので、詳細には固定フランジとホルダー、回転フランジから形成されるのと、角度可変装置により角度調整される釣竿入れホルダーにおいて、角度可変装置の構成を固定位置決めピン構造にして、片手でワンタッチ作動により角度の可変がスムーズ安定性で向上した考案。
【背景技術】
【０００２】これまで釣竿角度調整装置として、下記特許公開公報が提案されている。すなわち、連結孔と固定パック連結管とを有するＴ字形の連結具を形成させて鋸歯台と一体に鋸歯台の一側端部に相互に対向して分割された形態で、それぞれ回動面とセレーション面とを備えた角度調整穴を有する固定片を形成した後セレーション部を備えた締結ボルトとスプリングとプッシュボタンでＴ字形の連結具と固定片を相互に締結固定するように構成してある。
【先行技術文献】
【特許文献】
【０００３】特開２０００−３００１４０号公報
【考案の概要】
【考案が解決しようとする課題】
【０００４】上記特許文献の釣竿角度調整装置に次のような問題点があった。
釣竿具を取付ける場合、コンクリート上に取付出来ないのと、釣場の移動が即出来ないのも有り、取付場所が限定される。
さらに竿角度調節の時、竿を支え具から外して両手で角度調節をしないと使えないのと、糸の仕掛けが竿に絡むと、地面に竿、リールを置いて修正する為、傷が付き、風のある時は竿が海中に落下する事が有る。
【課題を解決するための手段】本考案は、これらの問題点を解決する為になされたものである。【０００５】すなわち請求項１の考案は、回転フランジと固定フランジとから成る、釣竿支えホルダー角度可変装置であって、前記回転フランジにおいては、その後面には一本或いは複数本の位置決めピンと、その前面にはフランジを回転させるハンドルと、その側面には釣竿を収納保持するための竿ホルダーと、その後面から前面を通過して前記ハンドルを貫通する内径穴を有し、前記固定フランジにおいては、外周を回転するため雌ネジが切られた中心軸と、その前面には複数の位置決めピン挿入穴を有すると共に、中心軸の中心から等距離に配置され、回転フランジの後面の位置決めピンと前記固定フランジ前面周辺の位置決めピン挿入穴は嵌合する位置とサイズを有し、回転フランジと固定フランジはハンドルの中心穴に締付ボルトで中心軸の雌ネジにねじ込み取付構造とする事により、スプリング力に抗して手でハンドルを若干持ち上げて回転フランジを希望する釣竿角度の位置に合せてハンドルを戻すと位置決めピンが位置決めピン挿入穴に嵌合して釣竿角度を容易に可変することが出来る事を特徴とする釣竿支えホルダー角度可変装置である。なおここで前記回転フランジに設置された位置決めピンは１本或いは複数本としている。基本的には１本のピンが、固定フランジの位置決めピン挿入穴に嵌合すれば、回転フランジの角度が固定されるのではあるが、複数本にすることによって位置決めピンにかかるかが分散され、ピンの破損が抑えられるメリットがある。
更に、竿ホルダーに、ハンドルレバーを設置する事を特徴とする請求項１記載の釣竿支えホルダー角度可変装置。
【考案の効果】
【０００６】従って本考案による釣竿入れホルダー角度可変装置は、船の側面やクーラーボックスの側面等に容易に取付出来、左右複数取付可能で、長時間の立釣りの疲れがなしクーラーボックスに、座って片手で作業が出来、ホルダーが円筒である為、置き竿等に適し、竿の手返しも早く、糸が絡んでも竿をホルダーに入れた状態でハンドルをワンタッチに断続的に角度可変の作業が楽に出来、必要によっては、片側の締付ボルトを緩めてそれぞれの部品交換をノンタッチで可能としたもので、使用に際してはクーラーボックス共に移動出来、使用者に安心して使える利便性と価値ある品を提供する。
【図面の簡単な説明】
【図１】本考案による釣竿支えホルダー角度可変装置の分解斜視図である。
【図２】本考案による釣竿支えホルダー角度可変装置の角度可変段階動作側面図である。
【考案を実施するための形態】
【０００７】以下本考案による釣竿支えホルダー角度可変装置の好ましい実施形態を添付図面により説明する。
図１は本考案による釣竿支えホルダー角度可変装置の分解斜視図であり、図２は本考案による使用状態と角度可変の図である。固定フランジ（２）回転フランジ（４）とを連結させる段階として竿ホルダー（１）が形成され、回転フランジ（４）と一体化された構成で相互に分割され、対向した形態を取る固定フランジ（２）が形成される。このような固定フランジ（２）に回転フランジ（４）を組み立てるための手段として、締付ボルト（７）とスプリング（６）とワッシャー（５）とが形成され、さらに対向した形態を取る回転フランジ（４）に組み立てるための手段として、竿ホルダー（１）が形成され、さらにハウジング（４）に組み立てるための手段として、ハンドルレバー（８）が形成される事によって構成される。
【０００８】この時、前記の固定フランジ（２）は図１の図示の通り、後面には、１本或いは複数本の位置決め挿入穴（２１１）が等距離に配置され、さらに固定フランジ（２）には台プレート（１０）が形成されるものであって、さらに図示の通り回転フランジ（４）の全面にはハンドル（４１２）が形成され、さらに後面には位置決めピン（３）と中心軸穴（４１１）とを備える構造が好ましい。
【０００９】また、前記の竿ホルダー（１）は図示の通り、回転フランジ（４）のホルダー穴（４１６）に形成されるものであり、竿ホルダー（１）は円柱状の筒形状で構成として、固定フランジ（４）のホルダー穴（４１６）とストッパー（１０１）で形成され、竿ホルダー（１）先端面にはＵ溝（１１１）があり、また竿孔（１１２）を備える事が好ましい。
【００１０】前記のような構成により、形成された釣竿支えホルダー角度可変装置の相互組立関係及びそれによる相互作用を説明すると、先ず対向した構成の回転フランジ（４）に位置決めピン（３）と中心軸穴（４１１）が有り、位置決めピン挿入穴（２１１）と中心軸（１１）内に挿入して、中心穴（２０）の中へ、締付ボルト（７）にスプリング（６）ワッシャ（５）を挿入して軸（１１）内のネジ孔（２１３）に締付け、竿ホルダー（１）を、ストッパー（１０１）を下にしてスリット（４１４）の下側から挿入した状態で、ハンドルレバー（８）で雌ネジ（４１３）に締付結合させる事によって、本考案による釣竿支え角度可変装置を形成する。
又、図２にでは垂直線からの角度が０°（垂直立設）から２５°、４５°、７５°、及び９０°（水平立設）を示している。
本考案を実施するための形態について手順を述べながら以下に示す。
先ずは、クラーボックス（９）に固定フランジ（２）を両面テープなどで取り付ける。次に固定フランジの中心軸（１１）に回転フランジ（４）の中心軸穴（４１１）をはめ込む。そしてワッシャ（５）、スプリング（６）を介して締め付けボルト（７）でハンドル（４１２）を取り付けた回転フランジ（４）を固定フランジに取り付ける。そして次にスプリング（６）のバネ力に抗して手でハンドル（４１２）を若干持ち上げて竿ホルダー（１）に支持された釣竿（１２）を取り付けた回転フランジ（４）を希望する釣竿角度の位置に合わせてハンドルを戻すと位置決めピン（３）が位置決めピン挿入穴（２１１）に嵌合して釣竿角度を容易に可変する事が出来る。また竿ホルダー（１）に設置されたハンドルレバー（８）にて釣竿（１２）を竿ホルダーに固定する事によって釣竿の抜け落ち、竿円周方向の回転を防止する事が出来る。なお、上記回転フランジ（４）に取り付けられた位置決めピン（３）の本数は複数本でも良く、この場合は一本に比べ、回転フランジが固定フランジに更に強固に取り付けられることとなる。
【符号の説明】    １  竿ホルダー
１１１  Ｕ溝
２  固定フランジ
２１１  位置決めピン挿入穴
２１３  ネジ穴
３  位置決めピン
４  回転フランジ
４１１  中心軸穴
４１２  ハンドル
４１３  雌ネジ
４１４  スリット
４１５  ピン穴
４１６  ホルダー穴
５  ワッシャ
６  スプリング
７  締め付けボルト
８  ハンドルレバー
９  クーラーボックス
１０  台プレート
１１  中心軸
１２  釣竿
２０  内径穴
１０１  ストッパー
【図１】
0003157968.tif 000003
【図２】
0003157968.tif 000004
【手続補正書】
【提出日】平成21年9月17日(2009.9.17)
【手続補正１】
【補正対象書類名】実用新案登録請求の範囲
【補正対象項目名】全文
【補正方法】変更
【補正の内容】
【実用新案登録請求の範囲】
【請求項１】
回転フランジ（４）と固定フランジ（２）とから成る竿ホルダー（１）であって、前記回転フランジ（４）においては、その後面には１本或いは複数本の位置決めピンと、その前面にはこの部材を回転させるためのハンドル（４１２）と、その側面には釣竿（１２）を収納保持するための竿ホルダー（１）と、その後面から前面を通過して前記ハンドル（４１２）を貫通する中心軸穴（４１１）を有し、
前記固定フランジ（２）においては、その前面には中央部に前記回転フランジ（４）がその外周を回転するため雌ネジ（４１３）が切られた中心軸（１１）と、その前面周辺部には複数の位置決めピン挿入穴（２１１）を有すると共に、前記位置決めピン挿入穴（２１１）は前記中心軸（１１）中心から等距離に配置され、
前記回転フランジ（４）後面の位置決めピン（３）と前記固定フランジ（２）前面周辺部の位置決めピン（３）は嵌合する位置とサイズを有し、
前記回転フランジ（４）と固定フランジ（２）は前記ハンドル（４１２）の上端部よりスプリング（６）を挟んだ締付ボルト（７）を前記固定フランジ（２）中心軸（１１）にネジ穴（２１３）部にねじ込み取り付け構造とする事により、
前記スプリング（６）力に抗して手で前記ハンドル（４１２）を若干持ち上げて回転フランジ（４）を希望する釣角度の位置に合せてハンドル（４１２）を戻すと位置決めピン（３）が位置決め挿入穴に嵌合して釣竿角度を容易に調整することが出来る事を特徴とする釣竿角度可変装置。
【請求項２】
竿ホルダー（１）に、ハンドルレバー（８）を設置する事を特徴とする請求項１記載の釣竿角度可変装置。
【手続補正書】
【提出日】平成21年11月30日(2009.11.30)
【手続補正１】
【補正対象書類名】実用新案登録請求の範囲
【補正対象項目名】全文
【補正方法】変更
【補正の内容】
【実用新案登録請求の範囲】
【請求項１】
回転フランジ（４）と固定フランジ（２）とから成る竿ホルダー（１）であって、前記回転フランジ（４）においては、その後面には１本或いは複数本の位置決めピンと、その前面にはこの部材を回転させるためのハンドル（４１２）と、その側面には釣竿（１２）を収納保持するための竿ホルダー（１）と、その後面から前面を通過して前記ハンドル（４１２）を貫通する中心軸穴（４１１）を有し、
前記固定フランジ（２）においては、その前面には中央部に前記回転フランジ（４）がその外周を回転するため雌ネジ（４１３）が切られた中心軸（１１）と、その前面周辺部には複数の位置決めピン挿入穴（２１１）を有すると共に、前記位置決めピン挿入穴（２１１）は前記中心軸（１１）中心から等距離に配置され、
前記回転フランジ（４）後面の位置決めピン（３）と前記固定フランジ（２）前面周辺部の位置決めピン（３）は嵌合する位置とサイズを有し、
前記回転フランジ（４）と固定フランジ（２）は前記ハンドル（４１２）の上端部よりスプリング（６）を挟んだ締付ボルト（７）を前記固定フランジ（２）中心軸（１１）にネジ穴（２１３）部にねじ込み取り付け構造とする事により、
前記スプリング（６）力に抗して手で前記ハンドル（４１２）を若干持ち上げて回転フランジ（４）を希望する釣角度の位置に合せてハンドル（４１２）を戻すと位置決めピン（３）が位置決めピン挿入穴に嵌合して釣竿角度を容易に調整することが出来る事を特徴とする釣竿角度可変装置。
【請求項２】
竿ホルダー（１）に、ハンドルレバー（８）を設置する事を特徴とする請求項１記載の釣竿角度可変装置。